(57)【要約】【課題】  本発明は、レーザー墨出し装置に関するものであり、特別なケースを使用せずに携行に便利なコンパクト形状として、しかもジンバル構造における揺動角度が比較的大きく出来る上、制動機能も充分組み込み可能であり、本質的な性能を充分発揮できるように構成した小型墨出し装置を提供する【解決手段】レーザー光源によるライン照射部を保持する光学ユニットと該光学ユニットの中心軸を鉛直に保つべき揺動機構を有する墨出し装置において、該揺動機構を支持する本体部に対して回動可能に支持されたカバー部材を設け、該カバー部材を開いたときに該カバー部材に設けた突起を含む３点で平面上に設置可能としたごとく構成した小型墨出し装置を提供するものである【選択図】  図２
2010203997.tif 000002
【特許請求の範囲】
【請求項１】
レーザー光源によるライン照射部を保持する光学ユニットと該光学ユニットの中心軸を鉛直に保つべき揺動機構を有する墨出し装置において、該揺動機構を支持する本体部に対して回動可能に支持されたカバー部材を設け、該カバー部材を開いたときに該カバー部材に設けた突起を含む３点で平面上に設置可能としたことを特徴とする小型墨出し装置。
【請求項２】
本体部に対して回動可能に支持されたカバー部材は閉状態において光学ユニットの揺動を固定して保持する機構を有することを特徴とする請求項１記載の小型墨出し装置。
【請求項３】
本体部に対して回動可能に支持されたカバー部材は開状態において水平方向と垂直方向のレーザーラインの照射を妨げない為の開口部を有するごとく構成されていることを特徴とする請求項１記載の小型墨出し装置。
【請求項４】
該揺動機構を支持する本体部に外部装置との結合ネジを設けたことを特徴とする請求項１記載の小型墨出し装置。
【発明の詳細な説明】
【技術分野】
【０００１】
本発明は、土木、建築、機械装置の設置時に使用するレーザー光源に関するものであり、携行に便利なコンパクト形状として、しかも本質的な性能を充分発揮できるように構成した小型墨出し装置に関するものである。
【背景技術】
【０００２】
現在、土木、建築、機械装置の設置時に広く使用されているレーザー墨出し装置はレーザーラインの照射精度の向上、付帯機能の拡充などに重点をおいた構造となっていることと、装置自体が精密機械であり外部からの衝撃に弱い為に、使用現場まではクッション付きの専用箱に入れて搬送される状態である。  従って、作業者が個人的に安易に使用するには設置に時間が掛かるなどの不都合がある。
【０００３】
携帯に便利にする為の形状としては、３本足を開閉式として閉状態でコンパクトとなるようにしたものがある。
【特許文献１】特公  ３６６４０２９  しかし、レーザーラインの照射窓などは外部に露出している他下側に突起があり危険性が残る為に携帯時には別途カバーが必要であるほか、細長い形状の為ジンバル構造における揺動角度に制限がある上にマグネットによる制動機構の組み込みにも困難がある。
【発明の開示】
【発明が解決しようとする課題】
【０００４】
本発明は上記背景の下に成立するものでありその課題は、特別なケースを使用せずに携行に便利なコンパクト形状として、しかもジンバル構造における揺動角度が比較的大きく出来、制動機能も充分組み込み可能であり、本質的な性能を充分発揮できるように構成した小型墨出し装置を提供するものである。
【課題を解決するための手段】
【０００５】
本発明の課題を解決するための第１の手段は、レーザー光源によるライン照射部を保持する光学ユニットと該光学ユニットの中心軸を鉛直に保つべき揺動機構を有する墨出し装置において、該揺動機構を支持する本体部に対して回動可能に支持されたカバー部材を設け、該カバー部材を開いたときに該カバー部材に設けた突起を含む３点で平面上に設置可能としたごとく構成した小型墨出し装置を提供するものである。
【０００６】
本発明の課題を解決するための第２の手段は、本体部に対して回動可能に支持されたカバー部材は閉状態において光学ユニットの揺動を固定して保持する機構を有するごとく構成した上記構造の小型墨出し装置を提供するものである。
【０００７】
本発明の課題を解決するための第３の手段は、本体部に対して回動可能に支持されたカバー部材は開状態において水平方向と垂直方向のレーザーラインの照射を妨げない為の開口部を有するごとく構成するごとく構成した上記構造の小型墨出し装置を提供するものである。
【０００８】
本発明の課題を解決するための第４の手段は、該揺動機構を支持する本体部に外部装置との結合ネジを設けたごとく構成した上記構造の小型墨出し装置を提供するものである。
【発明の効果】
【０００９】
本発明の効果は、特別なケースを使用せずに携行に便利なコンパクト形状として、しかもジンバル構造における揺動角度が比較的大きく出来、制動機能も充分組み込み可能であり、本質的な性能を充分発揮できるように構成した小型墨出し装置を提供するものである。
【発明を実施するための最良の形態】
【００１０】
本発明を実施するための最良の形態は、レーザー光源によるライン照射部を保持する光学ユニットと該光学ユニットの中心軸を鉛直に保つべき揺動機構を有する墨出し装置において、該揺動機構を支持する本体部に対して回動可能に支持されたカバー部材を設け、該カバー部材を開いたときに該カバー部材に設けた突起を含む３点で平面上に設置可能としたごとく構成した小型墨出し装置である。
【００１１】
本体部に対して回動可能に支持されたカバー部材は閉状態において光学ユニットの揺動を固定して保持する機構を有するごとく構成した上記構造の小型墨出し装置である。
【００１２】
本体部に対して回動可能に支持されたカバー部材は開状態において水平方向と垂直方向のレーザーラインの照射を妨げない為の開口部を有するごとく構成するごとく構成した上記構造の小型墨出し装置である。
【００１３】
該揺動機構を支持する本体部に外部装置との結合ネジを設けたごとく構成した上記構造の小型墨出し装置である。
【実施例１】
【００１４】
以下図について本発明の１実施形態について説明する。
図１は、本発明の小型墨出し装置の１実施例の構造を示す側断面図、図２はその正面図、図３はその背断面図である。  尚、説明を明確にする為に図面の中で一部を省略して表示している。
図１、図２、図３において本体部１には光学ユニット２がその中心軸を鉛直に保つべく横軸３と縦軸４によって揺動自在に垂下され、該光学ユニット２にはレーザー光源による鉛直ライン照射部５と水平ライン照射部６が組み込まれている。  又、本体部１には２本の支軸７、８によって本体部１に対して回動自在に設けられたカバー９、１０が固着され、該支軸７、８の他端にはレバー１１、１２が固着され、レバー１１に設けたピン１３がレバー１２のフォーク状の溝１４と緩く係合している。  又、レバー１１には突起１５が形成され、本体部１に固着されたスイッチ１６の動作ボタン１７に係合して閉状態ではレーザー光源の電源をＯＦＦとし、開状態で自動的にＯＮと成るごとく形成されている。  更にレバー１１、１２の他端に形成されたピン１８、１９にはコイルバネ２０が引張り力を与えられた状態で懸けられている。  更に、本体部１に板バネ２１を介して上方に付勢された状態で取り付けられた押しボタン２２はレバー１１、１２の上面に係合し、外部から該押しボタン２２を下方に押すことによってレバー１１、１２の上面を押して該支軸７、８を回転させて、カバー９、１０を開状態にすることが出来る。  ２３は本体部１に固着されたストッパーピンであり、レバー１１、１２の下面に係合してカバー９、１０の開状態の角度を制限するものである。  なお、本体部１に設けられた突起２４とカバー９、１０にそれぞれ設けられた突起２５と２６はカバー９、１０の開状態で床面に墨出し装置をセットしたときに本体部１が床面に対して３点で安定した状態で垂直にセットできる為のものである。  
【００１５】
又、カバー９、１０の内面にはクッション部材２７、２８が設けられ、  閉状態において本体部１に揺動自在に垂下された光学ユニット２の外側を覆うユニットカバー４１に接触しその揺動運動を固定して不用意な振動から鉛直ライン照射部５と水平ライン照射部６を守るごとく構成していることが望ましい。
この場合、カバー９、１０の閉状態を保持するのはコイルスプリング２０が懸かっているピン１８、１９が２本の支軸７、８のセンターを結ぶラインＡの下側に来ることによってコイルスプリング２０の張力がカバー９、１０を閉状態に保つことによるものである。
しかし、大きな衝撃力が加わるとコイルスプリング２０の張力が光学ユニット２質量を支えきれない状態が想定される。  このような状態に備えて本体部１に一定角度範囲回動可能な回動レバー２９、３０が軸３１の両面に固着されて状態で設けられていることが望ましい。  回動レバー２９、３０がほぼ水平状態にあるときにカバー９、１０の外側に張り出してその閉状態を保持する。  この構造は上述のコイルスプリング２０の力より強固であり、光学ユニット２に大きな衝撃力が加わってもカバー９、１０が不用意に開くことはない。  開状態とするときは押しボタン２２を押す前に回動レバー２９、３０を下向きに回動させて、カバー９、１０との係合を解くものとする。
【００１６】
又、カバー９、１０の上部コーナーには斜面３２、３３が形成されていることが望ましい。  そうするとカバー開の状態で上方向にカバー９、１０の間にスリット状の空間が形成され、鉛直ライン照射部５から照射される垂直レーザーライン３４を真上まで照射させることが出来る。  このスリット状の空間は斜面３２、３３の形状によって本体部１が多少傾斜した状態でセットされていても鉛直ライン照射部５からの垂直レーザーライン３４を支障なく照射できる充分な巾を持つごとく形成することが出来るものであり、もちろん閉状態では閉鎖状態となる。  水平ライン照射部６から照射される水平レーザーライン３５はカバー９、１０が大きく開いた位置にあるのでその全範囲を問題なく照射することが出来る。
【００１７】
更に本体部１の下面にはメネジ部材３６が設けられていることが望ましい。  このメネジ部材３６はカメラ用の三脚に設けられたオネジに適合するものが望ましく、本墨出し装置を床面から離れた高い位置にセットしようとするときに、市販のカメラ用三脚を流用することが出来る。  この場合は突起２４、２５、２６は浮いた状態であるが、カバー９、１０はピン１８、１９が２本の支軸７、８のセンターを結ぶラインＡの上側にあることによってコイルスプリング２０の張力によって開状態を保持することが出来る。
【００１８】
なお、光学ユニット２の下部には導電性材料で形成された制動板３７が固着され、本体部１にはヨーク３８が設けられ、該ヨーク３８には２個のマグネット３９が取り付けられている。  光学ユニット２が揺れると、２個のマグネット間を通る磁束によって制動板３７内部に渦電流が流れることによってブレーキがかかり該揺れが制動される。  この機構自体は一般の墨出し装置において公知のものであるが、有効な制動効果を出す為にはある程度のスペースを必要とするものであり、本発明の墨出し装置はそのスペースを維持できていることを示している。  ４０はレーザーポイント光源であり、一般に地墨といわれるもので床面に照射して墨出し装置のセット位置を正確に表わすものである。
【００１９】
以上の説明で明らかなごとく、本発明の小型墨出し装置は開閉式のカバーを設けたカード形としたので特別なケースを使用せずに携行に便利なコンパクト形状として、しかもジンバル構造における揺動角度が比較的大きく出来、制動機能も充分組み込み可能であり、本質的な性能を充分発揮できるように構成した小型墨出し装置を提供することが出来るものであり、その産業上の効果は極めて著しい。
【図面の簡単な説明】
【００２０】
【図１】本発明の小型墨出し装置の一実施形態の構造を示す側断面図である。
【図２】その正面図である。
【図３】その背断面図である。
【符号の説明】
【００２１】
１：本体部
２：光学ユニット
３：横軸
４：縦軸
５：鉛直ライン照射部
６：水平ライン照射部
７：支軸
８：支軸
９：カバー
１０：カバー
１１：レバー
１２：レバー
１３：ピン
１４：フォーク状の溝
１５：突起
１６：スイッチ
１７：動作ボタン
１８：ピン
１９：ピン
２０：コイルバネ
２１：板バネ
２２：押しボタン
２３：ストッパーピン
２４：突起
２５：突起
２６：突起
２７：クッション部材
２８：クッション部材
２９：回動レバー
３０：回動レバー
３１：軸
３２：斜面
３３：斜面
３４：垂直レーザーライン
３５：水平レーザーライン
３６：メネジ部材
３７：制動板
３８：ヨーク
３９：マグネット
４０：レーザーポイント光源
４１：ユニットカバー
Ａ：支軸７、８のセンターを結ぶライン
【図１】
2010203997.tif 000003
【図２】
2010203997.tif 000004
【図３】
2010203997.tif 000005